(57)【要約】  本発明は、湿性供給材料を乾燥および解凝集する装置および方法であって、供給材料は、駆動プレート上を少なくとも１つのローラが回転する動作により混練、混合、および分解され、そこに供給される高温ガスにより乾燥される装置および方法に関する。本発明はさらに、乾燥および解凝集装置を、ミル乾燥装置に変換する方法であって、そのために少なくとも１つのロールには加圧装置が設けられる装置および方法に関する。【選択図】  図１ａ
2008542682.tif 000002
【特許請求の範囲】
【請求項１】
乾燥および解凝集する装置であって、
ａ）一の駆動プレート（１）と、
ｂ）一の供給材料を混練、混合、および分解する目的で前記駆動プレート上を回転する少なくとも１つのローラ（２ａ）を有する一のローラユニット（２）と、
ｃ）前記供給材料を乾燥させるための高温ガス（４）を供給する手段（３）と、
ｄ）前記駆動プレート上に形成される前記材料の層を引離しおよび分解する手段（５）と、
を含むことを特徴とする装置。
【請求項２】
高温ガスを供給する第１の手段（３ａ）が前記研削プレートの領域に設けられ、高温ガスを供給する第２の手段（３ｂ）が前記少なくとも１つのローラ（２ａ）の上方の一の領域に設けられることを特徴とする請求項１に記載の装置。
【請求項３】
前記ローラ（２ａ）は、前記装置の一のミル乾燥装置への後の変換のために一の研削ローラとして形成されることを特徴とする請求項１に記載の装置。
【請求項４】
前記駆動プレート（１）は、前記装置の一のミル乾燥装置への後の変換のために一の研削プレートとして形成されることを特徴とする請求項１に記載の装置。
【請求項５】
前記装置の一のミル乾燥装置への後の変換に使用することができるよう設計される一の台座（７、８、９）が設けられることを特徴とする請求項１に記載の装置。
【請求項６】
湿性供給材料を乾燥および解凝集する方法であって、
前記供給材料は、少なくとも１つのローラ（２）が一の駆動プレート（１）上を回転する動作により混練、混合、および分解され、また、供給される高温ガスにより乾燥され、
前記駆動プレート上に形成される前記材料の層は、引離しおよび分解されることを特徴とする方法。
【請求項７】
前記供給材料は、１５％乃至５０％の含水率を有することを特徴とする請求項６に記載の方法。
【請求項８】
少なくとも７０％の前記供給材料は、２００μｍ未満の粒子サイズを有することを特徴とする請求項６に記載の方法。
【請求項９】
すでに乾燥した前記供給材料の一部は、前記研削プレートに戻されることを特徴とする請求項６に記載の方法。
【請求項１０】
請求項１に記載の前記装置を一のミル乾燥装置に変換する方法であって、
前記少なくとも１つのローラ（２ａ）には、一の加圧装置が設けられる方法。
【請求項１１】
前記プレート上に形成される前記材料の層を引離しおよび分解し、また、前記乾燥および解凝集装置内に設けられる手段（５）は、取り外されることを特徴とする請求項１０に記載の方法。
【請求項１２】
複数の加圧装置を有する複数の更なるローラユニット（２）が設置されることを特徴とする請求項１０に記載の方法。
【請求項１３】
前記プレート（１）用の前記駆動装置は、一のミル乾燥装置における条件に適応されることを特徴とする請求項１０に記載の方法。
【発明の詳細な説明】
【技術分野】
【０００１】
本発明は、湿性供給材料を乾燥および解凝集する装置および方法であって、供給材料は、駆動プレート上を少なくとも１つのローラが回転する動作により混練、混合、および分解され、供給される高温ガスにより乾燥される装置および方法に関する。本発明はさらに、乾燥および解凝集装置を、ミル乾燥装置に変換する方法に関する。
【背景技術】
【０００２】
セメント産業において、原材料を加工するために湿式法が依然として頻繁に使用されている。この場合、原材料は湿式研削され、スラリーの形で長い加熱炉に供給される。別の手法では、フィルタプレスにより湿性材料を予備乾燥し、その材料をビーターミルに供給し、次に材料を２段または３段式熱交換器においてさらに加工する。更なる可能性は、スラリーを、ビーターミルの中に直接投入することである。この場合、水を除去するために、エネルギーは単式または２段式熱交換器において生成される。
【発明の開示】
【発明が解決しようとする課題】
【０００３】
本発明は、異なる方法を提供することを目的とする。
【課題を解決するための手段】
【０００４】
本発明では、上述の目的は、請求項１、７、および１１の特徴により達成する。
【０００５】
乾燥および解凝集する装置は、実質的に、駆動プレートと、供給材料を混練、混合、および分解する目的で駆動プレート上を回転する少なくとも１つのローラを有するローラユニットと、供給材料を乾燥させるための高温ガスを供給する手段と、駆動プレート上に形成される材料の層を引離しおよび分解する手段とを含む。
【０００６】
湿性供給材料を乾燥および解凝集する本発明の方法では、供給材料は、少なくとも１つのローラが駆動プレート上を回転する動作により混練、混合、および分解され、また、供給される高温ガスにより乾燥され、また、駆動プレート上に形成される材料の層は、引離しされ、分解される。
【０００７】
乾燥および解凝集する装置および方法は、材料の非常に効率のよい処理により際立っている。
【０００８】
本発明の更なる発展は、従属請求項の主題を形成する。
【０００９】
装置は、高温ガスを供給する第１の手段が研削プレートの領域に設けられ、高温ガスを供給する第２の手段が、少なくとも１つのローラの上方領域に設けられることにより段付きの給気を供給することができることが好適である。
【００１０】
この装置を使用すると、１５％乃至５０％の含水率を有する供給材料を問題なく加工することができる。この場合、７０％の供給材料は、２００μｍ未満の粒子サイズを有する。必要である場合には、すでに乾燥された供給材料を戻して、研削プレート上の依然として湿性である供給材料と混合することが有利である。
【００１１】
湿性供給材料を使用した効率のよい作業方法に加えて、上述の装置はさらに、対応する発展において、後の時間において簡単な方法でミル乾燥装置に変換することができるという更なる利点を有する。このために、特に、ローラは、装置の後の変換のために研削ローラとしてすでに形成される。プレートも、研削プレートとしてすでに形成されることができる。更なる発展では、乾燥および解凝集装置の台座も設けられ、台座は、装置のミル乾燥装置への後の変換に使用することができるよう設計される。
【００１２】
基本的に、乾燥および解凝集装置がミル乾燥装置に変換される場合、少なくとも１つのローラには加圧装置が設けられる。さらに、プレート上に形成される材料層を引離しおよび分解する手段は取り外され、また、任意選択的に加圧装置を有する更なるローラユニットにより置換される。また、プレートの駆動装置および給気は、ミル乾燥装置の条件に適応される必要がありうる。
【００１３】
本発明の更なる利点および発展を、幾つかの実施形態の説明により以下に詳細に説明する。
【発明を実施するための最良の形態】
【００１４】
図１ａおよび図１ｂは、駆動プレート１、供給材料を混練、混合、および分解する目的で駆動プレート上を回転する少なくとも１つのローラ２ａを有するローラユニット２と、供給材料を乾燥するために高温ガス４を供給する手段３とを実質的に含む乾燥および解凝集装置を示す。
【００１５】
さらに、プレート１上に形成される材料層を引離しおよび分解する手段５が設けられる。図１ａおよび図１ｂによる実施形態では、この手段５は、任意選択的に反対方向に駆動されるハンマーローラ５ａにより形成される。
【００１６】
プレート１は、台座７上に支持され、駆動装置（詳細には図示しない）を有する。この駆動装置により、プレートは、その垂直長手軸１ａについて駆動することができる。ローラユニット２は、台座８上に支持され、手段５は、台座９上に取り付けられる。ローラ２ａとプレート上に形成される材料層を引離しおよび分解する手段５は、図１ｂに示すように互いに対角線上となるよう対向して配置されることが有利である。しかし、本発明の範囲において、更なるローラおよび／またはプレート上に形成される材料層を引離しおよび分解する手段５も設けることができる。
【００１７】
図２ａおよび図２ｂによる第２の実施形態では、プレート上に形成される材料層を引離しおよび分解する手段５は、歯付きローラ５ｂにより形成される。更なる変形を図３ａおよび図３ｂに示し、ここでは、この手段は、装置の筐体１０に直接固定することのできるスクレーパ５ｃにより形成される。
【００１８】
図４による実施形態では、手段５は、筐体１０ではなく台座９に固定されるスクレーパ５ｃにより形成される。スクレーパではなく図５に示すようなレーキ５ｄも更なる可能性である。
【００１９】
図６に示すように、供給材料は、たとえば、供給装置１１によって、プレート１のほぼ中心領域に直接供給されることができる。異なるまたは追加の供給点１２も、筐体１０の上部領域に設けることができる。
【００２０】
さらに、高温ガス４を供給する第１の手段３ａが研削プレート１の領域に設けられ、高温ガスを供給する第２の手段３ｂが、少なくとも１つのローラ２ａの上方領域に設けられることにより段付きの給気を供給することができる。研削プレートの領域における高温ガスの温度は、６５０℃未満であり、好適には約４５０℃乃至５５０℃である。上部の給気は、少なくとも４００℃、好適には６００℃乃至９００℃の範囲内の温度で動作することができる。
【００２１】
図７は、供給材料は、研削プレート１の上方に配置される分散プレート１３に供給される１つの変形を示す。有利には、高温空気４´も同時にこの領域に供給される。供給材料は、次に、分散プレート１３によって入来する空気に向けて投げ飛ばされ、微細乾燥材料はガスの流れにより上方向に運ばれ、粗材料はそこから下方向に研削プレート上に落下し、ローラ２ａにより拾い上げられる。
【００２２】
図８に示す乾燥および解凝集装置は、筐体１０の上部領域に形成される分類器１４を有する。手段１１により供給される供給材料は、ローラ２ａの下を通り、その結果、混練され、混合され、また分解される。プレート１の端を越えて外側に落下する材料は、底部から上方向に流れる高温ガス４により拾い上げられ、それにより、材料は上方向に運ばれ乾燥される。重い粒子はすぐに研削プレート上に落下する一方で他の材料は、上部に配置される分類器１４に入る。
【００２３】
静的または動的分類器として形成される分類器は、材料を、ガスの流れとともに上方向に運ばれる微細材料と、ライン１５を介してプレート１に戻される粗材料とに分離する。微細材料は、ガスの流れとともに分離器１６に入り、分離器１６は、微細材料からガスを分離する。高温ガス４は、上方向に除去される一方で最終製品は、ライン１７を介して排出されることができる。ここでは、プレート上で材料の含水率を調整することができるよう最終製品の一部を、ライン１８を介してプレート１に戻す可能性がある。
【００２４】
上述した装置を使用して、たとえば、１５％乃至５０％の含水率を有する相対的に湿性である供給材料を乾燥および解凝集することができる。
【００２５】
７０％乃至１００％の供給材料は、２００μｍ未満の粒子サイズを有する。したがって、ローラ２ａは、実質的に研削作業を行わなくてよい。したがって、ローラ２ａの固有重量が供給材料の混練、混合、および分解に十分であるので加圧装置も必要でない。ローラ２ａの接触圧は、０乃至５００ｋＮ／ｍ２の範囲にあることが好適である。
【００２６】
本発明の１つの特定の実施形態では、上述の乾燥および解凝集装置は、一部の構成要素を保持しながら後の時点でミル乾燥装置に変換することができるよう形成される。
【００２７】
本発明の１つの好適な実施形態では、したがって、ローラは、装置がミル乾燥装置に後に変換されるときのために研削ローラとしてすでに形成される。プレートも、後の変換のために研削プレートとして形成される。台座７、８、および９は、装置がミル乾燥装置に後に変換される間に使用され続けることができるよう有利にすでに設計される。図９ａに示す乾燥および解凝集装置の図９ｂに示すミル乾燥装置への変換のためには、矢印１９により示す加圧装置だけが基本的に必要である。この加圧装置により、ローラ２ａは、研削プレートとして形成されるプレート１上に押されることができる。この場合、ローラ２ａの接触圧は、通常、３００乃至１０００ｋＮ／ｍ２の範囲にある。
【００２８】
プレート上に形成される材料層を引離しおよび分解する手段５が乾燥および解凝集装置内に設けられる場合も、この手段は、取り外されるか、または、加圧装置を有する少なくとも１つの更なるローラユニットにより置換される。好適には、プレート１上には最大で４つの研削ローラが設けられる。
【００２９】
必要である場合は、プレート用の駆動装置もミル乾燥装置の条件に適応される必要がある。
【００３０】
図１０は、完全に構成されたミル乾燥装置を示す。この装置では、ローラユニットより上方の筐体１０の一部が、動的分類器１４´をそこに設けることができるよう変更されている。材料が下方向に送り出されるので、バケット昇降器２０も設けられる。したがって、図８に示す乾燥および解凝集装置を図１０に示すミル乾燥装置に変換した後も、台座７、８、および９、研削プレート１、およびローラユニット２はそのままにしておくことができる。
【００３１】
上述した乾燥および解凝集装置は、非常に効率のよい作業方法によって際立っている。さらに、ミル乾燥装置に相対的に費用をかけることなく変換することができる。
【図面の簡単な説明】
【００３２】
【図１ａ】第１の実施形態による乾燥および解凝集装置を示す略側面図である。
【００３３】
【図１ｂ】第１の実施形態による乾燥および解凝集装置を示す略平面図である。
【００３４】
【図２ａ】第２の実施形態による乾燥および解凝集装置を示す略側面図である。
【００３５】
【図２ｂ】第２の実施形態による乾燥および解凝集装置を示す略平面図である。
【００３６】
【図３ａ】第３の実施形態による乾燥および解凝集装置を示す略側面図である。
【００３７】
【図３ｂ】第３の実施形態による乾燥および解凝集装置を示す略平面図である。
【００３８】
【図４】第４の実施形態による乾燥および解凝集装置を示す略側面図である。
【００３９】
【図５】第５の実施形態による乾燥および解凝集装置を示す略側面図である。
【００４０】
【図６】供給材料を供給する実施形態を示す略側面図である。
【００４１】
【図７】供給材料を供給する実施形態を示す略側面図である。
【００４２】
【図８】分類器を有する乾燥および解凝集装置を示す概略図である。
【００４３】
【図９ａ】ミル乾燥装置への変換前の乾燥および解凝集装置を示す略側面図である。
【００４４】
【図９ｂ】図９ａに示す装置の変換により形成されるミル乾燥装置を示す略側面図である。
【００４５】
【図１０】図８に示す装置の変換により形成されるミル乾燥装置を示す略側面図である。
【図１ａ】
2008542682.tif 000003
【図１ｂ】
2008542682.tif 000004
【図２ａ】
2008542682.tif 000005
【図２ｂ】
2008542682.tif 000006
【図３ａ】
2008542682.tif 000007
【図３ｂ】
2008542682.tif 000008
【図４】
2008542682.tif 000009
【図５】
2008542682.tif 000010
【図６】
2008542682.tif 000011
【図７】
2008542682.tif 000012
【図８】
2008542682.tif 000013
【図９ａ】
2008542682.tif 000014
【図９ｂ】
2008542682.tif 000015
【図１０】
2008542682.tif 000016
【国際調査報告】
2008542682.tif 000017
2008542682.tif 000018
2008542682.tif 000019
2008542682.tif 000020
2008542682.tif 000021
2008542682.tif 000022